Podtech/llm-jp-corpus-v4-ja_patent huggingface dataset:
(57)【要約】【課題】液体窒素による従来の方法では生体組織を治療に適した温度に制御することが困難であるとともに、液体窒素の使用による過凍結によって凍結部位に隣接する正常組織に損傷を与えてしまう場合や、その供給に地域差があり、十分満足できる治療法ではなかった。【解決手段】液体窒素治療では、温度制御／供給が困難である等の問題を抱えている。従って、本発明は、上記問題点に鑑みてなされたものであり、適温差を達成して、効率よく使用出来ることで、生体表面の局所治療にも適した、コンパクトな装置を提供することを目的とする。【選択図】図１
2006288987.tif 000002
【特許請求の範囲】
【請求項１】
患部との接触面を大きな曲面の蓄熱部を持つ事を特色としたものである。
【請求項２】
頭皮患部との接触させる為に蓄熱部の先端を丸棒状とした物である。
【発明の詳細な説明】
【技術分野】
【０００１】本発明は、ペルチェ素子を用い曲面の面積を持ち局所を急速に冷却するその形状に関し、特に、皮膚に対する局所凍結治療に好適な、コンパクトな冷却装置に関する。
【背景技術】
【０００２】  ペルチェ素子を利用した電子冷凍システムは、供給電力に応じて冷却温度を制御することができるため光学機器や電子部品などの局所冷却に応用されている。液体窒素による従来の方法では生体組織を治療に適した温度に制御することが困難であるとともに、液体窒素の使用による過凍結によって凍結部位に隣接する正常組織に損傷を与えてしまう場合や、その供給に地域差があり、十分満足できる治療法ではなかった。
【発明が解決しようとする課題】
【０００３】このように、かかる従来技術では、電子冷却システムとして、ペルチェ素子を利用したシステムでは、実用可能であるが、医療分野での実用化は無かった。
また、凍結手術を主とする医療用冷却システムに用いられている液体窒素治療では、温度制御／供給が困難である等の問題を抱えている。従って、本発明は、上記問題点に鑑みてなされたものであり、適温差を達成して、効率よく使用出来ることで、生体表面の局所治療にも適した、コンパクトな装置を提供することを目的とする。
【課題を解決する為の手段】
【０００４】  本発明者は、上記目的を達成するために鋭意検討した結果本発明に到達した。即ち、本発明は、装置先端に曲面／細い丸棒を配備する事により接触される一方の面を効率よくペルチェ素子と組み合わさった蓄熱材において局部に冷熱を伝達するものである。
このペルチェ素子の他方の面に接触配置された冷却ファンと、ヒートシンクの外部冷却器とで構成されるペルチェ冷却装置である。
【０００５】上記の従来技術で述べたペルチェ素子利用の欠点を解決するために、本発明ではペルチェ素子を配置した面の反対側：患部接触面を平面ではなく、曲面（ここでは２００Ｒ）とし平衡状態における伝熱状態を患部の凹凸に追従することによって実現した。即ち、本発明のペルチェ冷却装置では、例えば、患部を急速冷却する場合、曲面をシーソーの様に動かすことにより毎回、曲面が面配置される面奪われる熱を均等に分ける事が出来る。ペルチェ素子の冷却面が温まっても、他の面は患部に接触していないので、熱的に接触配置された他方面の利用が可能になる。同様にけんざんの様に配置された丸棒も接触面以外は冷却されるので、患部に奪われる熱を均等に分ける事が出来る。これにより使用開始後の短時間内にヒートシンク全体の温度が上がることなく、熱拡散を発生させる事が出来る。この伝導は冷却性能を数十倍に高めて発揮することが可能である
このような冷却装置により、皮膚や頭皮や粘膜の癌等に対する局所凍結治療に際して、最適な温度を常時保つことが簡単に出来るペルチェ素子を利用しているため、、通院・在宅での治療が可能であり、患者の負担も軽減でき、術後の回復にも有効である。
【発明を実施するための最良の形態】以下、本発明のペルチェ冷却装置について図に示した実施例を用いて詳細に説明する。但し、この実施例に記載される寸法、材質、形状、その相対位置などは特に特定的な記載がない限り、この発明の範囲をそれのみに限定する趣旨ではなく単なる説明例に過ぎない。【０００６】図１はの実施形態に係るペルチェ冷却装置を具体化した構造の主要部分の断面図、である。このようにすることでよりコンパクトな装置構成を達成することが可能となる。
【発明の効果】
上述したように本発明のペルチェ冷却装置は、温度差を達成した、コンパクトな冷却装置であり、本発明の曲面接触制御方法により温度差の有効利用が可能である。そして本発明のペルチェ冷却装置は、特に精密な複雑な顔および頭皮の形状の生体表面の局所治療に好適に利用され、治療時間の短縮、患者に対する肉体的、精神的負担の低減ができ、治癒率の向上にも有効である。
【図面の簡単な説明】
【０００７】
【図１】断面図である。
【図２】正面図である。
【符号の説明】
【０００８】１．冷却部（曲面）
２．ヒートシンク
３．ケース
４．ファン
５．取っ手
６．ペルチェ素子
７．冷却部（頭皮用）
【図１】
2006288987.tif 000003
【図２】
2006288987.tif 000004
(57)【要約】【課題】中間に空気による断熱層を設けた二重のシート構造という簡単な構造で断熱効果を向上でき、電気や灯油の消費量を削減でき省エネを図れるだけでなく、二酸化炭素などの排気ガスの排出量も低減できて地球環境にも配慮できるビニールハウスを得る。【解決手段】屋根部２と側面部３とより構成され、フレーム体４にシート体５を張設するビニールハウス１において、前記シート体５を中間に空気層７を設けたビニールシート６ａ，６ｂによる二重構造に形成した。【選択図】        図１
2006288246.tif 000002
【特許請求の範囲】
【請求項１】
屋根部と側面部とより構成され、フレーム体にシート体を張設するビニールハウスにおいて、前記シート体を中間に空気層を設けた二重構造に形成したことを特徴とするビニールハウス。
【請求項２】
前記シート体は、ハニカム構造である請求項１記載のビニールハウス。
【請求項３】
前記シート体は、内面側をガラス材で形成し、外面側をビニールシート材で形成した請求項１記載のビニールハウス。
【発明の詳細な説明】
【技術分野】
【０００１】
本発明は、農作物を栽培するビニールハウスに関するものである。
【背景技術】
【０００２】
農作物や花などを促成栽培する手段として、一般的にハウス栽培が多くの農家で行われている。これは周知のようにビニールハウスの中で農作物などを栽培するものであるが、ハウス内の温度や湿度を適切なものに制御することにより自然の気候や季節からの影響を排除して年間を通じて安定した収穫が得られるようにしている。
【０００３】
そして、かかるビニールハウスの構造として、従来の多くは屋根や側壁を形成するフレーム体に一重のビニールシートを張設している（例えば特許文献１参照）。また、ハウス内の温度や湿度を最適なものに維持するための手段としては、従来、例えば電気や灯油などを使用する冷暖房器具を設置している。
【特許文献１】特開２０００−１０６７６２号公報
【発明の開示】
【発明が解決しようとする課題】
【０００４】
シートが一重の構造のハウスでは、断熱効果が小さく、電気や灯油の消費量が嵩み経費がコストアップする。また、灯油の消費量が多いと、二酸化炭素等の排気ガスの発生量も多くなり、地球環境にも問題が生じる。
【０００５】
さらに、冷暖房器具の維持費やメンテナンスも必要とする。
【０００６】
本発明の目的は前記従来例の不都合を解消するものとして、簡単な構造で断熱効果を向上でき、電気や灯油の消費量を削減でき、排気ガスの排出量も低減できて地球環境にも配慮できるビニールハウスを提供する。
【課題を解決するための手段】
【０００７】
本発明は前記目的を達成するものとして、請求項１記載の発明は、屋根部と側面部とより構成され、フレーム体にシート体を張設するビニールハウスにおいて、前記シート体を中間に空気層を設けた二重構造に形成したことを要旨とするものである。
【０００８】
請求項１記載の本発明によれば、シート体を中間に空気層を設けた二重構造とすることにより、空気層が断熱層となるからハウス内外間の熱の伝導が抑制され、ハウス内が断熱される。よって、電気や灯油の消費量を削減できる。
【０００９】
請求項２記載の発明は、前記シート体は、ハニカム構造であることを要旨とするものである。
【００１０】
請求項２記載の本発明によれば、中間に空気層が形成されるから断熱効果が得られることはもちろんのこと、構造上の強度もアップする。
【００１１】
請求項３記載の発明は、前記シート体は、内面側をガラス材で形成し、外面側をビニールシート材で形成したことを要旨とするものである。
【００１２】
請求項３記載の本発明によれば、中間に空気層が形成されるから断熱効果が得られることはもちろんのこと、内面側をガラス材で構成することでさらに天候の影響を受けにくくなり、大きな省エネ効果が得られる。
【発明の効果】
【００１３】
以上述べたように本発明のビニールハウスは、中間に空気による断熱層を設けた二重のシート構造という簡単な構造で断熱効果を向上でき、電気や灯油の消費量を削減でき省エネを図れるだけでなく、二酸化炭素などの排気ガスの排出量も低減できて地球環境にも配慮できるものである。
【発明を実施するための最良の形態】
【００１４】
以下、図面について本発明の実施形態を詳細に説明する。図１は本発明のビニールハウスの第１実施形態を示す縦断側面図、図２は本発明のビニールハウスの全体斜視図で、本発明のビニールハウス１は、全体構造としては屋根部２と側面部３とより構成され、金属製パイプなどを骨組みしたフレーム体４にシート体５を張設する。
【００１５】
前記シート体５は、第１実施形態では二重のビニールシート材６ａ，６ｂで形成し、この二重のビニールシート材６ａ，６ｂの間に空間を形成し、この中間の空間を空気層７とした。
【００１６】
これにより、外側のビニールシート材６ａと内側のビニールシート材６ｂとの間の空気層７が断熱層として機能し、夏季にはハウス外の熱気がハウス内に伝導されることを阻止し、冬季にはハウス内の暖房による暖気が外部に伝導されることが阻止される。
【００１７】
よって、ビニールシート材６ａ，６ｂを二重構造としただけの簡単な構造で、冷暖房の光熱費を低減でき、また、排気される二酸化炭素量も削減される。
【００１８】
図３は第２実施形態を示し、シート体５の構造として、ビニールシート材６ａ，６ｂによる二重構造に加え、中間の空気層７内にハニカム状に仕切り８を設け、全体をハニカム構造とした。仕切り８の材質も例えばビニールシートを使用する。
【００１９】
このような構造とすることで、第１実施形態と同様断熱効果が得られることはもちろんのこと、仕切り８が補強リブとしても機能し、軽量である利点を保持しながら強度も向上する。
【００２０】
図４は第３実施形態を示し、シート体５の構造として、二重構造とする場合に、外側は第１実施形態と同様にビニールシート材６ａを使用するが、中間の空気層７をはさんで内面側はガラス体９を使用する。
【００２１】
このように内面側にそれ自体も断熱効果を備えるガラス体９を使用することにより、外部の天候の影響をさらに排除することが可能となり、より大きな省エネを図ることができる。
【図面の簡単な説明】
【００２２】
【図１】本発明のビニールハウスの第１実施形態を示す縦断側面図である。
【図２】本発明のビニールハウスの全体斜視図である。
【図３】本発明のビニールハウスの第２実施形態を示す要部であるシート体の縦断側面図である。
【図４】本発明のビニールハウスの第３実施形態を示す要部であるシート体の縦断側面図である。
【符号の説明】
【００２３】
１  ビニールハウス                ２  屋根部
３  側面部                        ４  フレーム体
５  シート体                      ６ａ，６ｂ  ビニールシート
７  空気層                        ８  仕切り
９  ガラス体
【図１】
2006288246.tif 000003
【図２】
2006288246.tif 000004
【図３】
2006288246.tif 000005
【図４】
2006288246.tif 000006
(57)【要約】【課題】製品緑茶の品質を低下させる要因となる茶渋が材料茶葉から溶出することを抑え、二番茶以降のカタ葉についても効果があって、しかも製品の収率の高い製茶方法を提供する。【解決手段】材料生茶葉を150〜300℃程度の高湿度熱気により15〜60秒間加熱したのち除熱して、それを截断すると共に、截断することにより茶葉から必然的に切り離される茶茎を取り除いて、揉み処理をすることにより品質が高く、香味の強い製品緑茶が得られるようにした。【特許請求の範囲】
【請求項１】
材料生茶葉を150〜300℃程度の高湿度熱気により15〜60秒間加熱したのち除熱して、それを截断すると共に、截断により茶葉から必然的に切り離される茶茎を取り除いて、揉み処理をすることを特徴とする製茶方法。
【発明の詳細な説明】
【技術分野】
【０００１】
本発明は、緑茶の製法に関するものである。
【背景技術】
【０００２】
緑茶を製造するには、茶園で摘採されて運び込まれる生茶葉を先ず茶葉蒸機で30〜90秒間程度蒸し上げて蒸熱処理を加え、次いでその蒸し茶葉を粗揉機に移して粗揉処理をし、以下、揉捻、中揉、精揉の揉み処理を加えた後、必要に応じて火入れ、乾燥等の処理を加えて荒茶に加工する。
蒸熱することにより生茶葉は、含有水分が増加して柔軟性が与えられて揉み操作が容易になると共に、茶葉中の酸化酵素が不活化され不快な青臭みや悪臭の生成が抑えられる。
しかしながら生茶葉に単に30〜90秒間程度蒸気を当てゝ蒸しただけではその処理効果が低くて上質の製品緑茶を得ることはできないという欠点があった。
蒸熱時間をそれより長くして蒸しを深くすると、茶葉は煮えた状態が進み、脆弱になって揉むことが出来なくなり、通常の品質の緑茶が得られなくなる。
また、生茶葉は蒸気を当てると茶葉が湯で覆われた状態になり、切断縁や破断縁から茶渋が溶出し、これが酸化されて黒化して製品緑茶の水色や味、香気等を著しく低下させると云う欠点もあった。
そのため従来は材料生茶葉を蒸熱処理するに先立って、摘採時に切断されたり破断したりした茶葉を予め篩分して除去していた。
【０００３】
この改善策として、従来は材料生茶葉をいったん蒸熱した後直ちに冷却を行い、その冷却された茶葉を再び蒸熱処理して直ちに冷却を行い、その後は常法に従って揉捻処理、乾燥処理を行う方式が提案された。
この方式は、従来の製茶方法による材料生茶葉の蒸熱処理工程での茶葉に対する蒸し不足を補い、蒸熱時間を長くすることによる茶葉の脆弱を抑えつゝ、蒸しの程度を深くして製品緑茶の淹出液の水色、滋味、香気を優れたものにすることを目的とするものである。
しかしながらこの方式は見かけ上の蒸熱時間が長くなるのみで製品緑茶の水色や滋味、香気等を強めることは殆んど出来ないものであった。
しかもこの方式は、生茶葉に蒸気を当てると茶葉の切断縁や破断縁から茶渋が溶出して黒化する不具合については何ら考慮されていないので、従来の製茶方式と同じく材料生茶葉を蒸熱処理するに先立って、摘採時に切断されたり破断したりした茶葉を予め篩分して除去しておかなければならないと云う欠点もあった。
【特許文献１】特許第３１５２４１５号公報
【発明の開示】
【発明が解決しようとする課題】
【０００４】
解決しようとする問題点は、材料生茶葉に蒸気を当てゝ蒸しただけではその処理効果が低くて上質の製品緑茶を得ることはできない。しかも二番茶以降のカタ葉ではその傾向が一層強くなること、更に茶葉の切断縁や破断縁から茶渋が溶出して製品緑茶の品質を低下させるのであり、それを防ぐには摘採時に切断されたり破断したりした茶葉を予め篩分して除去しておかなければならない点である。
【課題を解決するための手段】
【０００５】
本発明は、蒸熱処理に変えて材料生茶葉に高湿度熱気により加熱して截断し、しかる後揉み処理を加えることを最も主要な特徴とする。
【発明の効果】
【０００６】
本発明の製茶方法は、材料生茶葉が含有水分を殆んど減少することなく軟化し、酸化酵素が不活化すると共に製品緑茶を旨味や香味を強くする効果が強められる。
また加熱処理を加えることにより、茶葉中の茶渋成分が固定化されて、被処理茶葉を切断してもその切断縁からの茶渋の滲出がないので、被処理茶葉を適宜なサイズに截断して揉み処理を加えることが出来る。
しかも処理茶葉を截断すると茶茎を取り除くことが出来るので揉み処理の効果が一層高められる。
また、高湿度熱気による加熱効果は二番茶以降の茶葉についても充分に発揮されるので、二番茶以降のカタ葉を材料とする茶を製造することが出来るのである。
【発明を実施するための最良の形態】
【０００７】
本発明に係る製茶方法は、茶園から摘採されて運び込まれた新鮮な生茶葉を150〜300℃程度の高湿度熱気により15〜60秒間加熱する。
尚、このとき茶葉の切断縁や破断縁は水分が減少し、ここからは茶渋が殆んど溶出しないので、材料生茶葉は摘採時に切断されたり破断したりした茶葉を予め篩分して除去しておく必要はない。
そのため篩分工程が不要になり、材料生茶葉からの製品緑茶の収率が向上する。
しかもこの加熱処理により茶葉は表面に付着していた水分が蒸散して濡れた状態がなくなり、内部に含有されている茶渋も熱変性して流出性を失うので、茶葉を截断してもその切断縁や破断縁から殆んど滲出しなくなる。
そこで加熱処理された茶葉を適宜なサイズに截断すると共に、截断により茶葉から必然的に切り離される茶茎を取り除く。
次いでこの茶葉を粗揉行程に送り込んで粗揉処理を行い、更に揉捻、中揉、精揉等の揉み処理う。
茶葉は粗揉処理以下の揉み処理の効果を阻害する茶茎が取り除かれているため著しく揉み効果が高くなっていて上質の製品緑茶が得られる。
粗揉処理の行程で被処理茶葉に高湿度熱気を当てゝ加熱すると揉捻処理を省くことが出来る。  また、中揉処理の行程で被処理茶葉に高湿度熱気を当てゝ加熱すると精揉処理を省くことが出来る。
【実施例１】
【０００８】
茶園から摘採されて運び込まれた新鮮な二番茶の生茶葉をネットコンベヤで送りながらそれに250高湿度熱気を30秒間当てゝ加熱したのち、これを除熱して50mm程度の間隔で截断した。
そして、この截断により茶葉から切り離された茶茎を取り除き、粗揉機に移して先ず180℃の高湿度熱気を15分間送り込み、続いて120℃の熱風を20分間送り込みながら粗揉処理を行ない、更にこれを常法に従って中揉処理し、精揉処理をした。
得られた荒茶は香味の強い緑茶材料となった。
【実施例２】
【０００９】
茶園から摘採されて運び込まれた新鮮な三番茶の生茶葉をネットコンベヤで送りながらそれに280高湿度熱気を40秒間当てゝ加熱したのち、これを除熱して50mm程度の間隔で截断した。
そして、この截断により茶葉から切り離された茶茎を取り除き、粗揉機に移して常法に従い30分間粗揉処理を行ない、次にこれを中揉機に移して230℃の高湿度熱気を送り込みながら30分間中揉処理をした。
得られた荒茶は精揉処理をしたのち火入れ処理をしたものと同様の香味の強い緑茶材料となった。
【産業上の利用可能性】
【００１０】
材料生茶葉を高湿度熱気により加熱して截断することにより茶茎を取り除くことが出来ることとなり、揉み効果が著しく向上しただけでなく、二番茶以降の夏秋番茶についても適用出来る。
(57)【要約】【課題】  この発明は、魚類種苗生産の安定と薬剤を軽減することにより、消費者に安心感を与える海産魚類における仔稚魚の抗病方法を開発・提供することにある。【解決手段】  この発明は、人工種苗法により海産魚類の仔稚魚を飼育する際に、飼育水に、真水を添加することによる低塩分処理を行い、一定期間低塩分を維持した後、全海水に復帰させることを特徴とする飼育方法であり、即ち、人工種苗生産法により海産魚類の仔稚魚を飼育するに当たり、飼育水に、希釈海水処理（低塩分処理）を施し、一定期間経過後、全海水に復帰させることを特徴とする海産魚類における仔稚魚の抗病的飼育方法からなるものである。【選択図】        なし【特許請求の範囲】
【請求項１】
人工種苗生産法により海産魚類の仔稚魚を飼育する際に、飼育水に真水を添加することによる低塩分処理を行い、一定の期間低塩分を維持した後、全海水に復帰させることを特徴とする飼育方法。
【発明の詳細な説明】
【技術分野】
【０００１】
この発明は、海産魚類における仔稚魚の抗病的飼育方法に関するものである。
【背景技術】
【０００２】
従来、人工種苗生産法により海産魚類の仔稚魚の飼育において生ずる疾病の防除手段としては、薬剤の経口投与が一般的であった。しかし、人工飼料給餌以前の仔魚に対しては、この方法で疾病防除をするのは困難であった。
【０００３】
また、仔稚魚期の死亡は、特定の病原生物（寄生虫、細菌）に起因するものの他に、不特定の細菌の数の増加によると考えられる表皮細胞の損傷によるものが多い。そのため、飼育水槽内の細菌数抑制のために、薬剤による薬浴処理が行われている。例えば、特許文献１のように。
【特許文献１】特開平８−９８２１号公報
【０００４】
しかし、薬事法改正により、水産用医薬品の使用規制がなされ、この方法は利用出来なくなった。このため、薬剤に代わる疾病防除として、仔稚魚の抗病性を向上させる必要がある。
【発明の開示】
【発明が解決しようとする課題】
【０００５】
そこで、この発明は、魚類種苗生産の安定と薬剤を軽減することにより、消費者に安心感を与える海産魚類における仔稚魚の抗病方法を開発・提供することにある。
【課題を解決するための手段】
【０００６】
飼育水の塩分濃度を調整することにより、表皮細胞の損傷によって生じる浸透圧調節機能の低下を補償することと、浸透圧調節によるエネルギー消費を押さえ、生理機能の維持を図ることにより抗病性の向上が図れる海産魚類における仔稚魚の抗病的飼育方法である。
【０００７】
しかも、この発明は、薬剤に代わる疾病防除であって、安全であり、しかも、周囲の環境も保護できる海産魚類における仔稚魚の抗病的飼育方法を開発・提供するものである。
【発明の効果】
【０００８】
この発明によると、飼育水の塩分濃度を調節することにより、表皮細胞の損傷によって生じる浸透圧調整機能低下を補償することと、浸透圧調整によるエネルギー消費を押さえ、生理機能の維持を図ることで抗病性を向上させることができる等極めて有益なる効果を奏する。
【０００９】
また、この発明を実施することにより、図１に示すように、死魚数が極めて少なくなり、薬剤を軽減することが可能となる。このことにより、魚類種苗生産が安定し、生産者の利益と、消費者に安心感を与える等の効果を奏するものである。
【発明を実施するための最良の形態】
【００１０】
そこで、この発明は、人工種苗生産法により海産魚類の仔稚魚を飼育するに当たり、飼育水に、希釈海水処理（低塩分処理）を施し、一定期間経過後、全海水に復帰させることを特徴とする海産魚類における仔稚魚の抗病的飼育方法からなるものである。
【実施例】
【００１１】
そして、この発明の一実施例により具体的に説明するが、この発明は、これに限定されるものではない。
表１に基づいて説明すると、試験区に瀕死状態のオニオコゼ稚魚について、希釈海水処理を施す実験を行った。
試験開始後の観察時間は、２８時間後である。
飼育水に全部海水を用いた場合、４０尾中３８尾が死に、死亡率は９５％であった。
飼育水に２／３海水を用いた場合、４０尾中５尾が死に、死亡率は１２．５％であった。
飼育水に１／３海水を用いた場合、４０尾中１尾が死に、死亡率は２．５％であった。  
【００１２】
【表１】
2006288234.tif 000002
【００１３】
次に、対照区として、塩分処理の影響を健康魚へ希釈海水処理を施す実験を行った。
表２に示すように、試験開始後の観察時間は、２４時間後である。
飼育水に全部海水を用いた場合、４０尾中５尾が死に、死亡率は５％であった。
飼育水に２／３海水を用いた場合、４０尾中３尾が死に、死亡率は７．５％であった。  飼育水に１／３海水を用いた場合、４０尾中０尾が死に、死亡率は０％であった。
【００１４】
【表２】
2006288234.tif 000003
【００１５】
このように、１／３海水に塩分濃度を調整した場合のオニオコゼ稚魚のへい死軽減となったものである。
【００１６】
つぎに、表３に示すように、一時に所定塩分濃度の海水に置換した際の実験をした。試験開始後の観察時間は１４時間後である。そして、次の結果を得た。
飼育水に全部海水を用いた場合、４０尾中３０尾が死に、死亡率は７５％であった。
飼育水に１／３海水を用いた場合、４０尾中５尾が死に、死亡率は１２．５％であった。
【００１７】
【表３】
2006288234.tif 000004
【００１８】
さらに、表４に示すように、所定塩分濃度の海水に２時間かけて調整した際の実験をした。試験開始後の観察時間は２４時間後である。そして、次の結果を得た。
飼育水に海水を１／３から３／３に置換した場合、４０尾中０尾であり、死亡率は０％であった。
飼育水に１／３海水を用いた場合、４０尾中０尾であり、死亡率は０％であった。
【００１９】
【表４】
2006288234.tif 000005
【００２０】
オニオコゼ稚魚の低塩分処理（１／３海水）後、全海水へ復帰した。
【産業上の利用可能性】
【００２１】
この発明は、これら疾病防除の技術を確立し、この技術に基づいて魚類養殖方法を確立し、かつ寄与する点で、産業上の利用可能性を有する。
【図面の簡単な説明】
【００２２】
【図１】この発明の一実施例を示すグラフ図である。
【図１】
2006288234.tif 000006
(57)【要約】【課題】従来の皮むき具は、野菜等の皮をむくと皮ゴミが散乱して後片付けに困っていた。【解決手段】本発明は、先端刃部の奥行きを増やし湾曲部を広め、さらに、皮ゴミを導く壁を湾曲にして収納ボックス部を設けることで野菜等の皮ゴミを収納することができる。また、本体部を開くと皮ゴミが空気に触れる面を増やした吸着防止凹凸部が機能して皮ゴミを一掃することができる。それを図面で説明すれば、図１−１本体部を持って野菜等をむくと皮ゴミが湾曲部を広めた図１−２先端刃部を通り、さらに、図１−３湾曲壁部に接触しループを描きながら通過して図２−４収納ボックス部に収まる。収納ボックス部の皮ゴミが増えたら図１−２先端刃部を軸にした図１−１本体部を開くと図２−５吸着防止凹凸部が機能して皮ゴミを一掃することができる。【選択図】図１
2006288900.tif 000002
【特許請求の範囲】
【請求項１】
皮ゴミを一掃するために図１−２先端刃部を軸に開閉できる図１−１本体部を設けた皮むき具。
【請求項２】
皮ゴミを図２−４収納ボックス部に収めるため図１−２先端刃部の奥行きを増やし湾曲部を広めたことを特徴とする請求項１記載の皮むき具。
【請求項３】
さらに、皮ゴミを収納ボックス部に導くため図１−３湾曲壁部を設けたことを特徴とする請求項１記載の皮むき具。
【請求項４】
また、皮ゴミの吸着を防止するため内壁に図２−５吸着防止凹凸部を設けたことを特徴とする請求項１記載の皮むき具。
【発明の詳細な説明】
【技術分野】
【０００１】
本発明は、皮ゴミを収納ボックスに収めるため先端刃部の奥行きを増やし湾曲部を広め、さらに、皮ゴミを導く壁を湾曲にすることで野菜等の皮ゴミを収納することができる。また、本発明は、皮ゴミを収納して一掃することを前提にしているので本体部を開閉できる形態になっている。
【背景技術】
【０００２】
従来の皮むき具は、皮ゴミを収納して一掃することができなかった。
【０００３】
しかし、本発明は、先端刃部の奥行きを増やし湾曲部を広め、さらに、皮ゴミを導く壁を湾曲にして収納ボックス部を設けることで野菜等の皮ゴミを収納することができる。また、本体部を開くと皮ゴミが空気に触れる面を増やした吸着防止凹凸部が機能して皮ゴミを一掃することができる。
【特許文献１】特開２００５−００００００号公報
【非特許文献１】著  特許出版  ２００５年
【発明の開示】
【発明が解決しようとする課題】
【０００４】
従来の皮むき具は、野菜等の皮をむくと皮ゴミが散乱して後片付けに困っていた。この課題を解消するためになされたものである。
【課題を解決するための手段】
【０００５】
本発明は、先端刃部の奥行きを増やし湾曲部を広め、さらに、皮ゴミを導く壁を湾曲にして収納ボックス部を設けることで野菜等の皮ゴミを収納することができる。また、本体部を開くと皮ゴミが空気に触れる面を増やした吸着防止凹凸部が機能して皮ゴミを一掃することができる。それを図面で説明すれば、図１−１本体部を持って野菜等をむくと皮ゴミが湾曲部を広めた図１−２先端刃部を通り、さらに、図１−３湾曲壁部に接触しループを描きながら通過して図２−４収納ボックス部に収まる。収納ボックス部の皮ゴミが増えたら図１−２先端刃部を軸にした図１−１本体部を開くと図２−５吸着防止凹凸部が機能して皮ゴミを一掃することができる。
【発明の効果】
【０００６】
このようにすれば、野菜等の皮ゴミが散乱して後片付けに困ることがない。
【発明を実施するための最良の形態】
【０００７】
本発明は、皮ゴミを湾曲部でループさせ収納ボックスに集めて開閉できる本体部によって一掃する形態になっている。
【産業上の利用可能性】
【０００８】
簡易なものを作製して使用してみた結果、便利であったので産業上の利用可能性は高いと考えている。
【図面の簡単な説明】
【０００９】
【図１】正面図及び側面図
【図２】本体開閉図
【符号の説明】
【００１０】
１本体部
２先端刃部
３湾曲壁部
４収納ボックス部
５吸着防止凹凸部
【図１】
2006288900.tif 000003
【図２】
2006288900.tif 000004
(57)【要約】      （修正有）【課題】自家用受電設備の引込み設備において、電柱から高圧ケーブルを引き下げ埋設用電線管等を経由して、受電キュービクル内で立ち上げる工事は多く実施されている。長期の使用で電線管に雨水が侵入し易い。電線管内に雨水が滞溜するのでこれを排除する。【解決手段】電線管の末端の遮水処理に三角楔を使用して確実にシール出来る。水抜きタンクをつけて、電線管内の雨水を排出する。タンク内のフロートにより、地上で容易に水位が判る。電線管内に空気が流れる様にして、乾燥する様にした。【選択図】図１
2006288127.tif 000002
【特許請求の範囲】
【請求項１】
埋設用電線管の最下部に水抜き管と水抜きタンクを設置した
電線管路
【請求項２】
埋設用電線管の両端に通気孔とキャップを有し、水抜きタンク
の蓋に通気管を有し、電線管路内を空気が自由に流通する
電線管路。
【請求項３】
請求項１の水抜きタンク内部にフロートを装備し、タンクの水位
が地上で容易に判断できる水抜きタンク。
【請求項４】
請求項２のキャップの遮水処理の為に三角楔を使用して
確実に遮水ができる電線管キャップ。
【発明の詳細な説明】
【技術分野】
【０００１】
電気設備の地中埋設電線管路工事、保守点検、の技術分野に適用される。
【背景技術】
【０００２】
高圧受電設備において、引込み線の施設として、高圧ケーブルにより、
屋外電柱から立ち下がり地中電線管路を経由して受電キュービクル内で
立ち上がる工事は広く実施されている。関連出願としては下記がある。
【特許文献１】特開２００２−１３８４５０号公報
【０００３】
図２について、従来の引込み埋設電線管路について説明する。
施工の順序としては、配線ルートを掘削し、埋設用電線管7を敷設し
埋め戻す。
【０００４】
次に、高圧ケーブル6を埋設用電線管の内部に通線してケーブルの両端を
端末処理する。
【０００５】
雨水の侵入を防ぐ為に管路口防水材26を使用し、シール部17を施工して
完了する。
【０００６】
しかし、長期間に亘って環境（特に紫外線、温度変化）に曝されると、シール部17
が遮水機能を喪失し雨水の侵入を許してしまう。
図6に示す様に、特に、高圧ケーブルが単芯を撚り合わせたトリプレックス形の
場合は多芯の中心部Ａはシール材を止めるものが無くシールが困難である。
【０００７】
その結果、埋設用電線管7の内部に雨水が溜まり滞溜水16となる。
図５に受電キュービクル内電線管の滞留水の写真一例を示す。
高圧ケーブルは常時水浸しとなり、水トリー劣化の引き金になり、寿命を縮める。
【０００８】
シール部17を水密に保つ様にすると、埋設用電線管の内部に一旦入った
水分は、出口が無く湿潤状態を保つ事になり好ましくない。
【発明の開示】
【発明が解決しようとする課題】
【０００９】
自家用受電設備を長期間に亘って使用しても電線管7の内部は常に乾燥した
状態に保持する。
【００１０】
電線管内部に水が溜まらない様にする。又、ハンドホールやマンホール等の
大掛かりな設備よりも大幅に安く提供できる対策である。
【課題を解決するための手段】
【００１１】
図１で埋設用電線管7の最も低い位置から水抜き管12により帯溜水16を
水抜きタンク11へ自然流下する様にした。
【００１２】
水抜きタンク11の下部に雨水が溜まっても、極力早く雨水を排出する様に
浸透穴13を配置した。
但し、低湿地帯等で地下水位が水抜きタンク11の底部より高い場合は、
浸透穴13を塞ぎ地下水の侵入を防ぐ。
【００１３】
水抜きタンク11の内部には、フロート14が浮かんでおり、フロート14に固定
されたロッド20がある。
水位の変化によりフロート14が上下に移動すると、ロッド20はガイド18に
従って上下に移動する。
【００１４】
ロッド20の上部先端には水位表示部15があり、表示部には水位目盛又は
赤、黄、青の表示を行う。
表示部を見れば、水抜きタンク11内部の水位が判るので、必要に応じて
小型ポンプ等で排水する。
水抜きタンク11の容量は、降雨の継続時間、雨水の侵入流量から算出すれば
良いが年に１回程度抜く様に余裕を持たせる。
【００１５】
蓋19は、水抜きタンク11の内部を点検する為のもので、雨水が直接
水抜きタンク11に侵入するのを防止する。
【００１６】
ガイド18はパイプ構造で、蓋19に固定されていて。ロッド20を垂直に保つ
様に作用する。
【００１７】
埋設用電線管7の両端にキャップ21を取り付け雨水の侵入を防ぎ、電線管7
には通気孔22を、水抜きタンク11には通気管28を設け空気が自由に流れる
様にした。但し、蛇など小動物の侵入を防ぐ配慮も必要である。
【００１８】
電線管7の端部のシール部分17について、組立手順は、キャップ21を
図7-2の様に加工しケーブル6の単芯を通線した後に、三角楔27を図7-1の、
様に押し込みその後シール材17（パテ等）を詰め込み遮水する。
三角楔27は先細りにテーパーをつけており、押し込み易い。しかも、突起29
がキャップ21の加工穴より大きいので、三角楔27は止まり落ち込まない。
【発明の効果】
【００１９】
高圧ケーブルが水没状態から、乾燥した環境に改善される。ケーブルの
水トリー劣化の恐れから開放され、高圧ケーブルの事故を低減できる。
【発明を実施するための最良の形態】
【００２０】
埋設用電線管は垂直部の高さが高い程電線管内の空気の流れは
活発になり、より水分が蒸発するように作用するので望ましい。
【実施例１】
【００２１】
図１に示す様に、水抜きタンク11は塩化ビニールパイプを加工して製作すれば
ハンドホールやマンホールを設置する場合に比べて、掘削量も少なく大幅に安価
に施工できる。
電線管は埋設用波付硬質ポリエチレン電線管（ＦＥＰ）が軽くて丈夫で作業性も
良い。埋め戻しに際し、水抜き管12は土圧を受けるので接続部の強度を考慮
する必要がある。
【図面の簡単な説明】
【００２２】
【図１】本発明の管路方式
【図２】従来の管路方式
【図３】水抜きタンク
【図４】電線管の通気孔とキャップ
【図５】電線管の帯溜水写真（受電キュービクル内）
【図６】従来の電線管シール部
【図７】本発明の電線管シール部
【符号の説明】
【００２３】
１電柱
２柱上気中開閉器
３取引用電圧電流変成器
４避雷器
５ケーブル端末処理部
６ＣＶ−Ｔケーブル
７埋設用電線管
８地面
９受電キュービクル
１０基礎
１１水抜きタンク
１２水抜き管
１３浸透穴
１４フロート
１５水位表示部
１６滞留水
１７シール部
１８ガイド
１９蓋
２０ロッド
２１キャップ
２２通気孔
２３空気の流れ
２４雨水の流れ
２５浸透水の流れ
２６管路口防水材（ゴム製）
２７三角楔
２８通気管
２９突起
【図１】
2006288127.tif 000003
【図２】
2006288127.tif 000004
【図３】
2006288127.tif 000005
【図４】
2006288127.tif 000006
【図５】
2006288127.tif 000007
【図６】
2006288127.tif 000008
【図７】
2006288127.tif 000009
(57)【要約】【課題】電化製品の普及とともに、オフィスや家庭のコンセント周りは、たこ足配線で危険性が高くなりこれを解消するためにＡＣアダプタ及びＤＣ電源出力を１個にし、ＤＣケーブルとＤＣ分岐アダプタと変換アダプタの構成で繋ぎ続けることで不必要な電線とたこ足配線をなくすことを提供する。【解決手段】ＡＣアダプタ及びＤＣ電源出力１を１個にし、ＤＣケーブル２で繋ぎＤＣ分岐アダプタ３でＤＣ電源を分岐しＯＵＴ１は間に変換アダプタ４を入れ規格通りに変換し電化製品Ａへ、ＯＵＴ２はＤＣケーブルで次の電化製品Ｂに繋げ続けるシステムである。【選択図】  図１
2006288179.tif 000002
【特許請求の範囲】
【請求項１】
電化製品にＤＣ電源供給をＤＣケーブルとＤＣ分岐アダプタで繋ぎ続けるシステムである。又、出力ＤＣは一定の電圧と電流出力し各電化製品Ａ，Ｂ，Ｃ〜は規格が異なるときは変換アダプタにて供給するシステムである。
【請求項２】
ＤＣ電源から出力した電源は、ＤＣケーブルで電化製品のＤＣ接続端子の間にＤＣ分岐アダプタを入れＤＣ電源を分岐させる、ＯＵＴ１は電化製品Ａへ、ＯＵＴ２はＤＣケーブルで次の電化製品Ｂへ繋ぐＤＣ分岐アダプタである。
【請求項３】
電化製品の必要とするＤＣ電源は電化製品によって規格が異なるため、そのときに変換アダプタを間に入れ規格電源に変換することで適正な電源を提供する変換アダプタである。
【発明の詳細な説明】
【発明の詳細な説明】
【技術分野】
【０００１】本発明は、電化製品に必要なＡＣアダプタ採用している電化製品１台に１個のＡＣアダプタでは、台数が多くなるとたこ足配線やコンセント数が沢山必要で危険性が高い。【０００２】ＡＣアダプタ及びＤＣ電源出力ＯＵＴを１個にしてＤＣケーブルで電化製品のＤＣ接続端子の間にＤＣ分岐アダプタを入れＯＵＴ１は電化製品ＡへＯＵＴ２はＤＣケーブルで次の電化製品Ｂに繋ぎ続けるシステムである。【０００３】電化製品Ａ、Ｂ、Ｃ〜がありＡ、Ｂ、Ｃ〜の電源規格は異なるときに変換アダプタを間に入れることでＡ、Ｂ、Ｃ〜の各必要電源規格に変換を可能にした。【０００４】今あるパソコン、オーディオなど多くの電化製品に使えるようにしたＤＣ電源供給システムである。
【背景技術】
【０００５】従来は、電化製品１台に１個のＡＣアダプタ必要だった。
【発明の開示】
【発明が解決しようとする課題】
【０００６】電化製品１台に１個のＡＣアダプタと１個のコンセントが必要ためパソコンシステムように沢山の周辺機器使うものは、ＡＣアダプタとコンセント周りはたこ足配線と電気の危険性が高い。【０００７】本発明はＤＣ電源を無駄電線とたこ足配線の危険性を解消するために開発した。
【課題を解決するための手段】
【０００８】ＡＣアダプタまたＤＣ電源１出力を１個にし、ＤＣケーブル２で繋ぎＤＣ分岐アダプタ３でＤＣ電源を分岐しＯＵＴ１は電化製品Ａへ、ＯＵＴ２はＤＣケーブル２で次の電化製品Ｂに繋げ続けるシステムである。【０００９】ここで問題になるのが電化製品Ａ、Ｂ、Ｃ〜は電源の規格が異なるためＤＣ分岐アダプタ３と電化製品の間に変換アダプタ４を入れることでＡ、Ｂ、Ｃ〜に異なった電源供給を可能にした。【００１０】電化製品Ａ、Ｂ、Ｃ〜に異なった電源の調整は４−１（Ｒ１）電圧変換可変抵抗で電圧調整可能にし、４−２（Ｒ２）電流変換可変抵抗で電流調整可能にした。
【発明の効果】
【００１１】ＡＣアダプタ及びＤＣ電源が１個で済む、これによりコンセントも１個ですむのでたこ足配線の危険性がなくなる。【００１２】ＤＣケーブルとＤＣ分岐アダプタで繋ぎ続けることで電化製品の裏側はケーブルの整理につながる。【００１３】電化製品は規格が異なるため変換アダプタで電源（電圧、電流）供給を可能にした。
【発明の実施するための最良の形態】
【００１４】以下、本発明の実施の形態について説明する。
【００１５】電源はＡＣアダプタ及びＤＣ電源ものを使う。又、繋ぐＤＣケーブル端子部は規格端子部品を使う。
【００１６】ＤＣ分岐アダプタは回路図
【図２】
ようにＩＮ（メス端子）ＯＵＴ１（オス端子）ＯＵＴ２（メス端子）で構成する。
【００１７】変換アダプタは回路図
【図３】
ように３端子レギュレータ又は３端子可変出力形安定化電源回路（ＩＣ）を使いＲ１で電圧変換を可能にする、Ｒ２で電流変換を可能にする。
【図面の簡単な説明】
【００１７】
【図１】  本発明のシステム回路図である。
【図２】  ＤＣ分岐アダプタ回路図である。
【図３】  変換アダプタ回路図である。
【符号の説明】
【００１８】１  ＡＣアダプタ及びＤＣ電源
２  ＤＣケーブル
３  ＤＣ分岐アダプタ
４  変換アダプタ
４−１  Ｒ１  電圧変換可変抵抗
４−２  Ｒ２  電流変換可変抵抗
【図１】
2006288179.tif 000003
【図２】
2006288179.tif 000004
【図３】
2006288179.tif 000005
(57)【要約】      （修正有）【課題】多種多様細胞チィップを使う事により、あらゆる面で今まで手間の掛かっていた事を、より便利に活用していける証明書カードやタグを提供する。【解決手段】細胞チィップを使い、細胞チィップカードにした場合、キャシュの代わりや、様々な身分証明書などの代わりをし、又、細胞チィップをタグにするなど、多種多様に活用して行く。【選択図】図１
2006126760.tif 000002
【特許請求の範囲】
【請求項１】
細胞チィップを使い、顔写真付細胞チィップカードを作る。
【請求項２】
細胞チィップを使い、細胞チィップタグを作る。
【発明の詳細な説明】
【発明の詳細な発明】
本発明は、顔写真と細胞チィップをひとつにし、細胞チィップカードにする事により、多種多様に活用して行き、又、細胞チィップタグとしても、活用して行く。［従来の発明］今現在、細胞チィップを使ったカードもなく、又、細胞チィップを使ったタグもない。［考案が解決しようとする課題］細胞チィップを、細胞チィップカードにする事により、キャシュの代わりや、色々な身分証明書の代わりをし、又、細胞チィップを、タグなどにし、その他、多種多様に活用して行く。
【図面の簡単な説明】
【図１】全体図
【図１】
2006126760.tif 000003
(57)【要約】【目的】弦楽器演奏（クラシックギター等）で有効に生かされていない横振動を、Ｖ形の溝で絃を受けて楽器に伝えることで響きを改善する。精密加工したＶ溝により弦のピッチ間精度をよくし、弦の太さによる指のかかりを改善した。【構成】弦を受ける部分をそれぞれの太さに合った精度の高いＶ溝にした。【選択図】図３
2006126761.tif 000002
【特許請求の範囲】
【請求項１】
弦受け部をＶ溝にした駒。
【請求項２】
各弦の位置精度を向上した駒。
【発明の詳細な説明】
【発明の詳細な説明】
本発明は弦楽器（クラシックギター等）の響きを改善するために、それぞれの弦に合った精密なＶ溝で弦を受け、弦の横振動（表胴板に対して平行の振動）を効率よく楽器本体に伝える駒である。
従来、弦楽器の駒は下支点で弦を受け振動を胴に伝えていたが、横振動は充分生かされていなかった。
弦をＶ溝の斜め部２点で受け胴に伝えることで、その横振動エネルギーを有効に、音に変更できる。Ｖ溝角は各弦の太さに合った深さで、９０度にこだわらない。
また精度の良いＶ溝により弦と弦のピッチ間精度が良くなり木工での加工誤差を修正設定でき安心してタッチできる。弦の下直線上で受けた場合、弦の太さにより微妙な上下があり、各弦のタッチ上点は奏法によってはひっかかり熟練の技術を要したが、このＶ溝で上点を揃えることができ楽に弾くことができる。
弦の上点揃え、中心点揃え等好みに合った設定をすることができる。
弦の丸みに沿わせた溝とは目的が異なり、ギター以外の楽器にも適応できる。
【図面の簡単な説明】
【図１】  クラシックギターの駒正面図を示す
【図２】  クラシックギターの駒平面図を示す
【図３】  Ｖ溝の拡大図を示す
【図４】  六弦の上点揃えＶ溝図を示す
【図５】  六弦の中心点揃えＶ溝図を示す
【符号の説明】
１      駒
２      弦
３      弦の揃え線
【図１】
2006126761.tif 000003
【図２】
2006126761.tif 000004
【図３】
2006126761.tif 000005
【図４】
2006126761.tif 000006
【図５】
2006126761.tif 000007
(57)【要約】【課題】製造ラインを流れる容器の仲の製品とＸ線の透過度の似た物質（異物）を検出したい。【解決手段】Ｘ線の放射円内に複数のＸ線ラインセンサを配し、画像処理で異物の検出レベル付近をガンマ補正で拡大し、複数のＸ線ラインセンサの位相を遅延回路で合わせ、積層して内容物と異物のＸ線透過度の差を広げる方式で解決した。【選択図】図３
2006126154.tif 000002
【特許請求の範囲】
【請求項１】
コンベア上を流れる容器の中の製品に含まれる異物を検出する手段として、Ｘ線投射器をコンベアの片側に配し、他方にＸ線の円形照射範囲内に複数のＸ線ラインセンサを配し、入側からそれぞれのＸ線ラインセンサのデータを画像処理して遅延させ、出側のＸ線ラインセンサの画像処理したデータと位相を合わせて積層画像を形成させ、内容製品と異物との分類を容易にさせる方式を特徴とするＸ線異物検出装置。
【発明の詳細な説明】
【技術分野】
【０００１】  本発明は、Ｘ線の透過度の近い物質の分類に威力を発揮する異物検出装置である。
【背景技術】
【０００２】  従来、ガラス、樹脂、金属容器に主に飲料を充填し、Ｘ線による異物検出を行っていた。しかし水約１０ｃｍの中に１ｍｍ厚のガラスがあっても検出できなかった。３ｍｍ程度の厚さがあれば従来の方式でも検出できた。【０００３】  最近製造スピードが速くなり、１分間に８００本を越える容器を搬送するのが普通になってきて、露光時間が短くなり、画像レベルが充分に取れなくなってきている。【０００４】  その上検出したい異物もガラスや金属だけではなく、通常製造ラインで良く使われている樹脂パッキングの一部や欠けたクズなどが問題になって来つつある。【０００４】  また、０．５ｍｍ程度の小さな異物も欠陥品としてクレームになる例も出ている。
【発明の開示】
【発明が解決しようとする課題】
【０００６】  透過Ｘ線の量が近似な物質を分別する方法の開発が必要である。
【課題を解決するための手段】
【０００７】  本発明は、第一に画像処理において異物の透過度付近の入出力特性（ガンマ）を変えて、その差が出易い様にする回路を入れる。【０００８】  第二に、複数列のＸ線ラインセンサのうち、最も入側のＸ線ラインセンサの画像処理出力を出側ラインセンサの位相まで遅延させる。次に２番目のＸ線ラインセンサの画像処理出力を出側ラインセンサの位相まで遅延させる。このようにして、出側Ｘ線ラインセンサの１列手前のＸ線ラインセンサの画像処理出力を、出側Ｘ線ラインセンサの位相に合わせて遅延させ、出側Ｘ線ラインセンサの位相において画像処理出力どうしのデータを積層（加算）して、小さな出力変化を拡大し、明確に異物の存在をデータ化して分類するものである。
【発明の効果】
【０００９】  Ｘ線の透過度の近い物質、及び小さな物質の検出に効果があり、製品の返品や損害補償の減少による経済的効果は大である。また、食品の安全性を確保する衛生面での効果も大きい。
【発明を実施するための最良の形態】
【００１０】  図１の如く、完成製品１３の搬送ライン１４が１５の方向に移動する。これに対してＸ線発生器１１は約３０度の角度で縦、横方向にＸ線を放射する。この放射範囲は距離とともに拡散し、ある点では１２のような円形になる。この範囲内で１３の容器をスキャンできる位置にＬ１からＬｎまでのｎ列のＸ線ラインセンサを配する。【００１１】  各Ｘ線ラインセンサの出力は、図２の如く異物のＸ線透過度付近のガンマを上げて変化量を拡大する。【００１２】  そして、検査物である完成製品１３が、図３において最も入側のＸ線ラインセンサＬ１の画像処理データを、ｔ１秒後に最も出側のＸ線ラインセンサＬｎが撮像する第１のラインとの位相を合わせるよう遅延させる。同じようにＬ２からＬｎ−１までの各Ｘ線ラインセンサにおいてＬｎとの位相を合わせるよう各々の画像処理データを遅延させる。Ｌｎの位相でＬ１からＬｎの画像処理データを積層（加算）すると、異物によるＸ線透過度の差は拡大し、異物を分類することが可能になる。異物が検出されると、異物検出排除装置３１にて搬送ライン１４から排除される。このように、生産ラインにおいて製品が箱詰めされる前に、製品内の異物を検出し排除する。
【図面の簡単な説明】
【００１３】
【図１】各機器の配置を示す図
【図２】ガンマ補正の入出力図
【図３】２列Ｘ線ラインセンサの遅延、ガンマ補正、データ積層のブロックダイヤ図
【符号の説明】
【００１４】  １１      Ｘ線発生器
１２      Ｘ線出射角度表示図
１３      検査用容器
１３′    ｔ１秒後に１３のエッジが移動して到着した仮想位置
１４      搬送コンベア
１５      容器進行方向
２１      入力レベル
２２      出力レベル
２３      ガンマ１のグラフ
２４      ガンマ補正の例
３１      異物検出排除装置
ＡＤＤ    加算部
ＤＲＩＶ  各種駆動信号発生部
Ｌ１      最も入側のＸ線ラインセンサ
Ｌ２      ２列目のＸ線ラインセンサ
Ｌｎ−１  最も出側から１つ手前のＸ線ラインセンサ
Ｌｎ      最も出側のＸ線ラインセンサ
ｔ１      １３のエッジが入側Ｘ線ラインセンサＬ１を通過後、出側Ｘ線ラインセンサＬｎに到達するまでの時間
ｔ１ＤＬ  Ｌ１からＬｎまで位相を合わせる遅延回路
ｔ２ＤＬ  Ｌ２からＬｎまで位相を合わせる遅延回路
ｔｎ−１ＤＬ  Ｌｎ−１からＬｎまで位相を合わせる遅延回路
γ１      Ｌ１用ガンマアンプ
γ２      Ｌ２用ガンマアンプ
γｎ−１  Ｌｎ−１用ガンマアンプ
γｎ      Ｌｎ用ガンマアンプ
【図１】
2006126154.tif 000003
【図２】
2006126154.tif 000004
【図３】
2006126154.tif 000005
(57)【要約】      （修正有）【課題】予約時間のセットを容易に行なうことができる腕時計を提供する。【解決手段】腕時計の大きさの時計において、短針、長針の２本の針で時刻予約のセットを行なう目覚し機能（予約時間通告）を設ける。前記短針、長針は時刻表示用の短針、長針と色を区別し分かりやすくする。更に、予約時刻になると、バイブレーション機能により音なしで装着者に時刻を知らせる。【選択図】なし【特許請求の範囲】
目ざまし時計をうで時計の大きさにし、予約セットする針を短針・長針とも赤でわかりやすくする、時間がくればバイブレーションで知らせてくれる。
【発明の詳細な説明】
発明の名称
バスツアー時計
発明の詳細な説明
発明の属する技術分野
目ざまし時計とうで時計の合体
従来の技術
ケイタイで予約時間をセットするには私達主婦にはとってもむつかしい事である
発明が解決しょうとする課題
バスツアー旅行で、○○時○○分集合です、この予約セットが簡単にできるようにする。
課題を解決するための手段
○  目ざまし時計を男物のうで時計の大きさにし、時間がわかりやすく、見えやすいものにする。
○  予約セットする短・長針を赤でわかりやすいものにする
○  時間がくれば音ではなく、バイブレーションで知らせる。
2006126157.tif 000002
【手続補正書】
【提出日】平成17年2月11日(2005.2.11)
【手続補正３】
【補正対象書類名】明細書
【補正対象項目名】特許請求の範囲
【補正方法】変更
【補正の内容】
【特許請求の範囲】
【請求項１】
○  従来の目ざまし時計の機能（予約時刻通告）を、腕時計の大きさで目覚まし時計の機能（予約時刻通告）を備えさせる。
○  腕時計の時刻予約の針は、通常１本であるが、時刻予約セットする針を短針、長針の２本として、より詳細な予約時刻セットが可能とさせる。
○  予約時刻セット用の短針、長針は、既存の腕時計の短針、長針と色を区分けし、赤などの目立つ色彩を使用した短針、長針とする。
○  時刻予約セットする短針、長針は、お知らせ腕時計の文字盤に時刻表示用短針、長針と同一面に設定され、針はそれぞれ任意に稼働できる。
○  予約時刻がくれば、バイブレーション機能等音なしで装着者に時刻を知らせる機能を備えている。
(57)【要約】      （修正有）【課題】地震や土砂崩れ等の自然災害の多発する中、個人が容易に災害から、いち早く逃れる為にの低価格で操作が簡単な地震警報装置の提供。【解決手段】  引き抜きスイッチと紐でつながれた錘の落下により、作動スイッチを引き抜いてスイッチが入り、警報が発生する装置で、全体に低価格な材料で製作する事が可能で、引き抜きスイッチの使用で再使用が簡単にでき、地震発生直後に知らせることができる。【選択図】図１
2006126153.tif 000002
【特許請求の範囲】
【請求項１】
振動や揺れにより、引き抜きスイッチと紐でつながれた錘が受け台から落下し、その落下する力で作動スイッチを引き抜く事によりスイッチが入り音が出ること。
【発明の詳細な説明】
【発明の詳細な説明】
従来の地震警報装置は、大がかりな機械を必要としていた、その為、大変なお金と、設置場所を要した。
従って、個人が、強い要望の中、地震警報装置を自宅などに設置するのは、費用や設置場所の点で容易では無かった。
本発明は、その要望をまとめて簡単な方法で解決したものである。
以下それを説明すると。
本発明は、揺れや震動により、引き抜きスイッチと紐でつながれた錘が受け台から落下し、落下した錘がアラームのスイッチを引き抜く事でスイッチが入り音を発生させるものであり、電池により作動する為、停電の時も動作には影響を与えない。
（イ）  アラーム本体から出ている引き抜きスイッチと紐でつながれ受け台に載せられている錘がある。
（ロ）  揺れる事により（イ）の錘が落下する
（ハ）  （ロ）の力により、（イ）のスイッチが入り、本体のアラームが音を出す。
こうすれば地震や土砂崩れ等の揺れや振動によりスイッチが入り、音が出いち早く気づく事が可能になる。例えば、寝ているとき、お風呂に入っているとき、騒音があるとき等に発揮する。
【図面の簡単な説明】
【図１】本発明の左側面から見た図
【図２】本発明の正面から見た図
【図３】本発明の受け台の部分  どの方向に揺れ動いても落下させるために、丸い受け台を使用する
【図４】錘の底の部分  通常時、誤作動を防ぐための、へこみ部分
【図５】本発明のスイッチが入ったときの図  錘が落下しアラーム本体の引き抜きスイッチを抜きスイッチが入った図
【図１】
2006126153.tif 000003
【図２】
2006126153.tif 000004
【図３】
2006126153.tif 000005
【図４】
2006126153.tif 000006
【図５】
2006126153.tif 000007